(57)【要約】【目的】容量の大きな主幹ブレーカを使用して太い電線を接続する場合でも筐体寸法は従来と変わらず，コンパクトな分電盤を構成でき，しかも電線の接続作業が容易に行える分電盤を提供することを目的としている。【構成】主幹ブレーカと主幹ブレーカの負荷側には複数の分岐ブレーカを接続し，該主幹ブレーカと複数の分岐ブレーカを覆う筐体を含む分電盤において，主幹ブレーカの負荷側端子は主幹ブレーカの負荷側から電源側に向かう方向に電線やバーを接続する端子を有するが，電源側端子は電源側と負荷側を結ぶ方向に対し略直角方向から電線を接続する端子を有するようにした。【選択図】  図１
2004166385.tif 000002
【特許請求の範囲】
【請求項１】
主幹ブレーカと主幹ブレーカの負荷側には複数の分岐ブレーカを接続し，該主幹ブレーカと複数の分岐ブレーカを覆う筐体を含む分電盤において，主幹ブレーカの負荷側端子は主幹ブレーカの負荷側から電源側に向かう方向に電線やバーを接続する端子を有するが，電源側端子は電源側と負荷側を結ぶ方向に対し略直角方向から電線を接続する端子を有することを特徴とする分電盤。
【請求項２】
前記主幹ブレーカは主幹ブレーカ本体と該本体の電源側端子に接続される端子装置からなる請求項１の分電盤。
【発明の詳細な説明】
【０００１】
【発明の属する技術分野】本発明は分電盤に内設されるブレーカへの電線接続の改良に関し，主に主幹ブレーカへの外部電線接続において，小型の分電盤筐体でも電線を接続するスペースが充分確保できるようにしたものである。
【０００２】
【従来の技術】従来の分電盤の１例として特許文献１の図４で説明する。特許文献１の図４において，２２は分電盤筐体，２３は主幹ブレーカ，２４は複数の分岐ブレーカ，２５は主幹ブレーカ２３と分岐ブレーカ２４の接続導体である。従来の分電盤における各ブレーカへの電線の接続は図４の矢印のように行っており，特に主幹ブレーカ２３の端子２７への電線接続は，主幹ブレーカ２３の（電源側）端子２７から負荷側端子（接続導体２５）に向かう方向（図の下方向）に接続するため，その場合一旦電線を筐体２２内に引き込んだ後に曲げ処理などを行うための空間（一般的に言われるガタースペース）２６ａが主幹ブレーカ上部に必要になり，筐体の縦寸法も主幹ブレーカとガタースペースの必要寸法に応じて決められていた。
【０００３】
【特許文献１】
特開２００１−９５１１３（第４図）
【０００４】
【発明が解決しようとする課題】しかしながら，近年住宅等における電気使用量は増大する傾向にあり，そのため主幹部に設置するブレーカの定格電流は従来に比べて大きいものが必要になって接続電線も太いものが使用されるようになっている。
【０００５】接続電線が太くなると，電線の曲げ処理などのための前述のガタースペースも大きくなって，主幹ブレーカの寸法増大と合わせて，分電盤の筐体を大きくしなければならないが，分電盤の設置スペースから言えば限界があり従来以上に筐体寸法を大きくすることは好ましくなかった。
【０００６】例えば，１００Ａ定格の主幹ブレーカの前述の特許文献１の図４に示す縦方向の寸法は一般的に約１００ｍｍで，必要なガタースペースはＪＩＳＣ８３２８住宅用分電盤では８０〜１００ｍｍと定められていて分電盤筐体の縦寸法（図１の上下方向）は約３００ｍｍもあれば十分であった。しかしながら主幹ブレーカが１５０Ａになるとブレーカの縦寸法が約１５０ｍｍ，必要なガタースペースも１５０ｍｍとなり分電盤筐体の縦寸法が３００ｍｍでは不足する。
【０００７】本発明は，上述のように容量の大きなブレーカを使用して太い電線を接続する場合でも筐体寸法は従来と変わらず，コンパクトな分電盤を構成でき，しかも電線の接続作業が容易に行える分電盤を提供しようとするものである。
【０００８】
【課題を解決するための手段】
上述の課題を解決するため請求項１の発明は，主幹ブレーカと主幹ブレーカの負荷側には複数の分岐ブレーカを接続し，該主幹ブレーカと複数の分岐ブレーカを覆う筐体を含む分電盤において，主幹ブレーカの負荷側端子は主幹ブレーカの負荷側から電源側に向かう方向に電線やバーを接続する端子を有するが，電源側端子は電源側と負荷側を結ぶ方向に対し略直角方向から電線を接続する端子を有することを特徴とする分電盤を提供したものである。
【０００９】請求項２の発明は，前記主幹ブレーカは主幹ブレーカ本体と本体の電源側端子に接続される端子装置からなる請求項１の分電盤を提供したものである。
【００１０】
【発明の実施の形態】本発明の第１の実施例について図面を用いて以下に説明する。図１は本件発明の第一の実施例を用いた分電盤を説明する図である。筐体１内に，主幹ブレーカ２，複数の分岐ブレーカ３，主幹ブレーカ２と複数の分岐ブレーカの接続導体装置４などが内装されている。５１〜５３は，主幹ブレーカ２の電源接続側端子２１〜２３に夫々接続される中継端子板である。５１〜５３の中継端子板は図２に示すように，片側は主幹ブレーカの電線接続側端子への接続部５１１〜５３１となっていて，他方は電線接続端子部５１２〜５３２となっている。５１〜５３はそれぞれ長さが異なっており，ブレーカの電線側接続端子２１〜２３に端子ねじ２１１〜２３１で接続固定したとき，電線接続端子部５１２〜５３２は主幹ブレーカの電源負荷方向に位置ずれして配置されるようになっている。電線７１〜７３は，該電線接続端子部５１２〜５３２に向けて図の右方向から接続される。８は，５１〜５３の中継端子板手前側の絶縁板である。
【００１１】なお，主幹ブレーカ２の負荷側の端子２４〜２５は，従来例（特許文献１）の図４に示す例に同じく，主幹ブレーカの負荷側から電源側に向く方向に接続導体４を接続できるようになっていて，従来の構造がそのまま使用できるものである。（接続導体装置４は従来例と同一のものである。）
【００１２】図３は，本件発明の第二の実施例である。第二の実施例では，前記第一の実施例に示す中継端子板５１〜５３の代わりに絶縁付きの中継端子台９を設置した例である。中継端子台９は，図４に示すように中継導体９１〜９３と該中継導体を保持する絶縁台部９４で構成されている。中継導体９１〜９３はねじ９１２〜９３２で絶縁台部９４に固定される。絶縁台部９４からは，主幹ブレーカ２の電源接続側端子部２１〜２３への中継導体の接続片部９１１￣９３１が延出していて主幹ブレーカの端子ねじ２１１〜２３１で図１の例に同じく電源接続端子部２１〜２３にねじ止めされる。中継導体９１〜９３の他端は電線接続部９１３〜９３３になっていて，主幹ブレーカ２の電源接続端子２１〜２３から順次遠くなるように配置されている。電線の接続については図２に示す例と同一である。
【００１３】図５は，本件発明の第三の実施例の図である。図５の実施例では，主幹ブレーカ１０の電源接続端子１０１〜１０３が主幹ブレーカに一体に設けられており，且つ電源接続端子は電源側と負荷側を結ぶ方向（図の上下方向）に対して位置ずれして配置されており，なお且つ電源側と負荷側を結ぶ方向に対して直角方向に開口している。電線の接続については図１に示す例と同一である。
【００１４】以上の説明において，電線はいずれも図の右方向から電線接続端子に接続されるので，主幹ブレーカの上方のガタースペースは，必要な太さの電線が接続できる端子が３つ並ぶだけのスペースがあればよい。例えば主幹ブレーカの定格電流が１５０Ａでは，図３の場合でもブレーカの横巾同一の縦寸法を有するスペースが主幹ブレーカ本体から図の上方にあればよく，現実的には９０ｍｍ程度でよい。したがって主幹ブレーカの縦寸法を１５０ｍｍとしても分電盤の筐体縦寸法は３００ｍｍ程度でも充分に電線を接続するスペースを確保できるような１５０Ａ定格の分電盤を提供できる。また，説明は主幹ブレーカが３極の例で説明したが２極（すなわち電線も２本）でも差し支えないことは自明である。
【００１５】
【効果】以上のように容量の大きなブレーカを使用して太い電線を接続する場合でも筐体寸法は従来と変わらず，コンパクトな分電盤を構成でき，しかも電線の接続作業が容易に行える分電盤を提供できる。
【図面の簡単な説明】
【図１】本件発明の第一の実施例の図。
【図２】中継端子板の図。
【図３】本件発明の第二の実施例の図。
【図４】中継端子台の図。
【図５】本件発明の第三の実施例の図。
【符号の説明】
１・・筐体
２・・主幹ブレーカ
３・・分岐ブレーカ
４・・接続導体装置
５１，５２，５３・・中継端子板
９・・中継端子台
１０・・主幹ブレーカ
【図１】
2004166385.tif 000003
【図２】
2004166385.tif 000004
【図３】
2004166385.tif 000005
【図４】
2004166385.tif 000006
【図５】
2004166385.tif 000007